(57)【要約】      （修正有）【課題】熱伝導に対しては効果的であるだけでなく、建物空間を通過する輻射熱に対して対処する事と、発泡プラスチックの両面にアルミホイルを溶着した遮熱シートを用いた工法と比べても、費用がかからず内部からの輻射熱に効果的で壁が厚くならない工法を提供する。【解決手段】  屋根、壁、床等に使用されている木質合板或いは木毛セメント板等木質ボードや石膏ボード或いは珪酸カルシウム等無機質ボード等の片面又は両面にアルミホイル等輻射熱に対して高反射率の素材を取り付けたボードを使用した建物で、これらアルミホイル等輻射熱に対して高反射率の素材と接する空間は、胴縁等により静止空気が形成される様に設けた或いは密封空間が出来る様にした建物の遮熱断熱工法。【選択図】図４
2007231716.tif 000002
【特許請求の範囲】
【請求項１】
建物の屋根、壁、床等に使用される木質セメント板や構造用合板等の片面又は両面にアルミホイル等輻射熱に対して高反射率の素材を取り付けた木質ボードを、外装下地材や構造材として建物躯体等の周囲に取り付け、これらアルミホイル等輻射熱に対して高反射率の素材に接する空間は胴縁等により静止空気層が形成されるように設けた建物の遮熱断熱工法。
【請求項２】
室内の内装材や内装下地材で使用される木質合板や木毛セメント板等木質ボード或いは石膏ボードや珪酸カルシウム板等無機質ボードの片面又は両面にアルミホイル等輻射熱に対して高反射率の素材を取り付け、これらアルミホイル等輻射熱に対して高反射率の素材に接する空間は、胴縁等により静止空気層が形成されるように設けた或いは密閉空間とした建物の遮熱断熱工法。
【発明の詳細な説明】
【技術分野】
【０００１】  本発明は、木造住宅や鉄骨建築等建物の屋根、壁、床等の外装下地材や合板等の木質ボード或いは内装材や内装下地材である石膏ボードや珪酸カルシウム板等の無機質ボードの片面或いは両面に、輻射熱に対して高反射率の素材を取り付けた建物の遮熱断熱工法を提供するものである。
【背景技術】
【０００２】  建物の断熱工法は、外装材や内装材の間にグラスウールやウレタン等の断熱材を取り付けるのが一般的である。又、遮熱を目的に遮熱シートを外装材と躯体との間に取り付けたものもある。しかし、屋根、壁、床等の内外装下地材や内装材更に構造用合板等をも遮熱断熱材として利用し、更にこれら遮熱断熱材に接する空間は静止空気層を設けた或いは密閉空間としたものはこれまで提供されてはいない。
【発明の開示】
【発明が解決しようとする課題】
【０００３】  建物の断熱工法には、内断熱工法と外断熱工法とがある。内断熱工法は、躯体柱等の間に、又外断熱工法は躯体柱等の外側にグラスウールやウレタン等の断熱材を取り付けるものである。しかし、これらの断熱工法は何れも熱伝導型の断熱材を使用するため伝導熱に対しては効果的であるが、建物を通過する熱量が約７５パーセントを占める輻射熱に対しては殆ど対応することが出来ないという問題があった。現に輻射熱がこれらの断熱材に照射されると、断熱材自体が熱を発することとなり、結露の原因になることも多い。この為、結露防止策として外装材と内装材の間に通気をする通気工法が施工されているのが一般的である。しかし、この通気工法は外部からの熱を排出する事には効果的であるが、同時に室内の熱も排出してしまう為大きな省エネルギー効果を得ることは難しいという問題があった。
最近、輻射熱をカットするためプラスチックエアーバブルの両面にアルミホイルを溶着した遮熱シートを外装材と躯体外側に取り付けた工法等もあるが、遮熱シートの材料費や工事費等に多くの費用がかかるという問題がある。又、柱等躯体外側に合板等を取り付ける工法では、これら遮熱シートはこの合板と外装材との間に取り付ける為、遮熱シートの室内面を合板に接して使用すると外部からの輻射熱に対しては効果的であるが、内部からの輻射熱に対しては余り効果がないという問題もあった。更にこの場合遮熱シートの両面に空間を持たせようとすると、壁面等の厚みが厚くなると言う問題もあった。
本発明は、この様な問題を解決しようとするものである。
【課題を解決するための手段】
【０００４】  建物の屋根、壁、床等に使用される木質セメント板や構造用合板等の片面又は両面にアルミホイル等輻射熱に対して高反射率の素材を取り付けた木質ボードを、外装下地材や構造材として建物躯体等の周囲に取り付け、これらアルミホイル等輻射熱に対して高反射率の素材に接する空間は胴縁等により静止空気層が形成されるように設けた遮熱断熱工法である。又、室内の内装材や内装下地材で使用される木質合板や木毛セメント板等木質ボード或いは石膏ボードや珪酸カルシウム板等無機質ボードの片面又は両面にアルミホイル等輻射熱に対して高反射率の素材を取り付け、これらアルミホイル等輻射熱に対して高反射率の素材に接する空間は、胴縁等により静止空気層が形成される様に設けた或いは密封空間とした建物の遮熱断熱工法である。
本発明は、以上を特徴とする建物の遮熱断熱工法である。
【発明を実施するための最良の形態】
【０００５】  以下、本発明を実施するための最良の形態について説明する。
全米の多くの公的機関の報告として、建物等の空間を通過する熱量の大半は伝導熱と対流熱であると考えられていましたが、実際は殆どが輻射熱によるものでその量は全熱量の約７５パーセントを占めると言われています。従って、この輻射熱をカットしない限り大幅な省エネルギー効果は得る事が出来ない事となります。
本発明は、屋根、壁、床等の下地材である木質セメント板や木質合板等木質ボードの片面又は両面にアルミホイル等輻射熱に対して高反射率の素材を取り付ける事により、輻射熱をカットするものである。アルミホイル等輻射熱に対して高反射率の素材は、輻射熱の約９７パーセント位をその侵入面側に反射してしまう性能を有している。従って、屋外がらの輻射熱は室外側に、室内からの輻射熱は室内側に反射される事となり、壁面等を通過するのは約３パーセント程度となるため大幅な省エネルギー効果を得る事が出来る。唯、輻射熱に対して高反射率の素材は伝導熱及び対流熱には逆効果となるため、これらの反射面と接する外装材や内装材等は胴縁等により静止空気層が形成される様に取り付ける事が望ましい。
又、アルミホイル等輻射熱に対して高反射率の素材の反射面が増える程断熱性は高まる為、天井材の外壁面側、壁下地材である石膏ボードや木質セメント板等の片面又は両面、床材であるフローリング等の屋外側にも取り付けると更に効果は高まることとなる。この場合も、アルミホイル等輻射熱に接する空間は静止空気層の形成或いは密閉空間とし、建物内外の空気の出入りや対流を防止する事が望ましい。
図１は、木質合板や木質セメント板等木質ボード２或いは石膏ボードや珪酸カルシウム板等無機質ボード等２の両面に、アルミホイル等輻射熱に対して高反射率の素材１を取り付けたボードの断面図である。
図２は、木質合板や石膏ボード等の木質ボード２を建物の耐力壁の構成部材として利用する場合、木質ボード２と躯体等の接触抵抗を保持するため、接触部分のアルミホイル等輻射熱に対して高反射率の素材１を予めカットしたボードの断面図である。又、建物の柱等のスパンは決まっているので、この様にしておくと現場作業が非常に効率的になる。
図３は、天井材や床材等の木質ボード２の片面に、アルミホイル等輻射熱に対して高反射率の素材１を取り付けたボードの断面図である。アルミホイル等輻射熱に対して高反射率の素材１は屋外側に取り付くので、室内からの輻射熱に対しては効果は期待できないが、屋外からの輻射に対しては非常に効果的である。
図４は、屋根や天井にアルミホイル等輻射熱に対して高反射率の素材１を取り付けた木質ボードや無機質ボード２の施工状況図である。アルミホイル等輻射熱に対して高反射率の素材１を両面に取り付けた木質ボード２は、一般の施工方法と同様屋根垂木６に直接釘やビス等で取り付ければ良い。此の時、釘やビス等の頭部及び各ボードの突合せ部は、アルミホイル等輻射熱に対して高反射率の素材１と同質のテープでシールしておくと防水性及び室内の機密性が向上する。木質ボード２と屋根材３との間は、胴縁等５により静止空気層が形成されるように設け、胴縁等５の上端部は防水紙４等を敷くと防水性が向上するばかりか、より気密性のある静止空気層が形成される。桁８上部には、外部から室内への空気の侵入を防止するコロビ止め７を設ける。一般的にはこの工法で充分であるが、更に断熱性を向上させる場合は、天井板にもアルミホイル等輻射熱に対して高反射率の素材１を取り付けると良い。天井板にアルミホイル等輻射熱に対して高反射率の素材１を取り付ける方法として、化粧板等を使用する時は室外側の片面に、又ビニールクロス等表面仕上げ材を取り付ける時は石膏ボード等内装下地材の両面に取り付けても良い。
図５は、建物の壁面にアルミホイル等輻射熱に対して高反射率の素材１を取り付けた断面図である。アルミホイル等輻射熱に対して高反射率の素材１を両面に取り付けた木質ボード２を柱間柱等９の躯体に直接取り付け、外壁側には外装材１０との間に胴縁等５により静止空気層が形成出来る様に設けたものである。一般的にはこれで十分であるが、更に遮熱断熱性を求める場合は、内装した内装下地材である石膏ボード等の片面又は両面にアルミホイル等輻射熱に対して高反射率の素材１を取り付けたボードを使用すると良い。
図６は、建物の床にアルミホイル等輻射熱に対して高反射率の素材１を取り付けた施工状況図である。アルミホイル等輻射熱に対して高反射率の素材１を取り付けた木質ボード等２を土台や大引き１２に直接取り付け、室内側はフローリング等の間に胴縁等５により静止空気層が出来る様に取り付けたもである。木質ボード等２から柱や間柱等９の空間に床下からの空気侵入がない様に木質ボード等２の継ぎ目及び土台や大引きとの接触部は同質のテープ等でシールしておく。更に遮熱断熱性を向上させるには、フローリングの屋外側にもアルミホイル等輻射熱に対して高反射率の素材１を取り付けると効果的である。土台や大引き１２の上に根太を取り付ける場合も前記同様の工法であるが、根太と土台とのスキマから柱間柱等９空気の出入りが無いように垂木等でシールしておく。
【発明の効果】
【０００６】  屋根、壁、床等建物の全体がアルミホイル等輻射熱に対して高反射率の素材を両面に取り付けたボードは、建物を通過する輻射熱の約９７パーセント以上をその侵入面側に反射してしまうので、壁面等を通過する量は約３パーセント程度しか侵入しないこととなる。従って、屋外よりの熱は室内側に取り込まず、室内よりの熱は屋外に逃がさない事となり高い遮熱断熱を得ることができる。又、一般に施工されている通気工法は使用せず静止空気工法を採用しているので、室内の熱も外部に排出されることがなく熱効率は極めて高い。アルミホイル等輻射熱に対して高反射率の素材を各壁面等に２箇所以上取り付けると、更に高い遮熱断熱性を得ることが出来る。
アルミホイル等輻射熱に対して高反射率の素材は１００パーセント空気や湿気を透さないので、各ボードの継ぎ部を同質のテープでシールすると建物の機密性は大幅に向上するばかりか、防水性能も向上する事となる。更に、防水性能が向上することにより、木質ボード等では木質部の腐食等が減少するので耐久性も向上することになる。
又、建物全体がアルミホイル等輻射熱に対して高反射率の素材の反射材に囲まれているので、電磁波対策にも効果的である。
本発明の施工方法は、従来より行っていた工法と非常に近くほぼ同様の施工法で出来る為、誰でも簡単に施工できる。又、グラスウールやウレタン等断熱材が不要のため、これらの材料費や施工費が大幅に減少され、高遮熱高断熱にも係わらずコストは大幅に減少することとなる。
【図面の簡単な説明】
【０００７】
【図１】木毛セメント板や木質合板等の木質ボード或いは石膏ボードや珪酸カルシウム板等の無機質ボードの両面に、アルミホイル等輻射熱に対して高反射率の素材を取り付けたボードの断面図である。
【図２】木質合板や石膏ボード等が躯体と接触して耐力壁の構成部材として使用される場合、躯体との接触部のアルミホイル等輻射熱に対して高反射率の素材を一部カットしたボードの断面図である。
【図３】天井板や床材等の片面に、アルミホイル等幅射熱に対して高反射率の素材を取り付けたボードの断面図である。
【図４】屋根や天井に、アルミホイル等輻射熱に対して高反射率の素材を取り付けた施工状況図である。
【図５】建物の壁面に、アルミホイル等輻射熱に対して高反射率の素材を取り付けた断面図である。
【図６】床に、アルミホイル等輻射熱に対して高反射率の素材を取り付けた施工状況図である。
【符号の説明】
【０００８】  １アルミホイル等
２木質ボード等
３屋根材
４防水紙
５胴縁等
６屋根垂木
７コロビ止め
８桁
９柱、間柱
１０外装材
１１ビニールクロス等
１２土台、大引き
１３基
【手続補正書】
【提出日】平成18年5月2日(2006.5.2)
【手続補正１】
【補正対象書類名】図面
【補正対象項目名】全図
【補正方法】追加
【補正の内容】
【図１】
2007231716.tif 000003
【図２】
2007231716.tif 000004
【図３】
2007231716.tif 000005
【図４】
2007231716.tif 000006
【図５】
2007231716.tif 000007
【図６】
2007231716.tif 000008